(57)【要約】【課題】携帯電話機に記憶等された音楽を、車載のカーステレオで聴くことができ、ハンズフリーで電話の通話ができ、携帯電話機の充電機能も備えた制御装置を提供する。【解決手段】制御装置本体１１と、車内のシガレットライターのソケットへの差込みプラグ部１２と、携帯電話機へのコネクタ１３と、マイク部１４とを備え、制御装置本体１１には、携帯電話機からの音声及び音楽信号をＦＭ波として発信するＦＭトランスミッター１１１と、シガレットライターのソケットから得られる電流を携帯電話機の充電用電流に変換する充電用電源回路１１４と、等々を設け、携帯電話機へのコネクタ１３には、携帯電話機と制御装置本体間の制御信号、音声及び音楽信号の伝送ライン並びに携帯電話機の充電用給電ラインが設けたことで解決した。【選択図】図１
2012044580.tif 000002
【特許請求の範囲】
【請求項１】
制御装置本体と、この制御装置本体に接続されたところの車内のシガレットライターのソケットへの差込みプラグ部と、前記制御装置本体に接続された携帯電話機へのコネクタと、このコネクタに接続されたマイク部とを備え、
前記制御装置本体には、前記携帯電話機からの音声及び音楽信号をＦＭ波として発信するＦＭトランスミッターと、前記マイク部から出力される音声信号を前記携帯電話機へ転送するマイク信号転送回路と、シガレットライターのソケットから得られる電流を制御装置自体の作動用電流に変換する自己消費用電源回路と、シガレットライターのソケットから得られる電流を携帯電話機の充電用電流に変換する充電用電源回路と、前記制御装置の作動状態を切り換える複数のスイッチとが設けられ、
前記携帯電話機へのコネクタには、携帯電話機と制御装置本体間の制御信号、音声及び音楽信号の伝送ライン並びに携帯電話機の充電用給電ラインが設けられたこと、
を特徴とする、携帯電話機の制御装置。
【請求項２】
制御装置本体と、この制御装置本体に接続されたところの車内のシガレットライターのソケットへの差込みプラグ部と、前記制御装置本体に接続された携帯電話機へのコネクタと、このコネクタに接続されたマイク部とを備え、
前記制御装置本体には、前記携帯電話機からの音声及び音楽信号をＦＭ波として発信するＦＭトランスミッターと、前記マイク部から出力される音声信号を前記携帯電話機へ転送するマイク信号転送回路と、シガレットライターのソケットから得られる電流を制御装置自体の作動用電流に変換する自己消費用電源回路と、シガレットライターのソケットから得られる電流を携帯電話機の充電用電流に変換する充電用電源回路と、前記制御装置の作動状態を表示する液晶ディスプレイ装置と、前記液晶ディスプレイ装置の制御回路と、前記制御装置の作動状態を切り換える複数のスイッチとが設けられ、
前記携帯電話機へのコネクタには、携帯電話機と制御装置本体間の制御信号、音声及び音楽信号の伝送ライン並びに携帯電話機の充電用給電ラインが設けられたこと、
を特徴とする、携帯電話機の制御装置。
【請求項３】
前記制御装置本体と携帯電話機へのコネクタとの間、及び、前記制御装置本体とマイク部との間をケーブルで接続したことを特徴とする、請求項１乃至２のいずれか１項に記載の携帯電話機の制御装置。
【請求項４】
前記シガレットライターのソケットへの差込みプラグ部を制御装置本体に直接取り付けたことを特徴とする、請求項１乃至２のいずれか１項に記載の携帯電話機の制御装置。
【請求項５】
前記シガレットライターのソケットへの差込みプラグ部を制御装置本体の側へ折畳み可能なように取り付けたことを特徴とする、請求項４に記載の携帯電話機の制御装置。
【請求項６】
前記マイク部には、その作動をオンオフするスイッチが設けられたことを特徴とする、請求項１乃至２のいずれか１項に記載の携帯電話機の制御装置。
【請求項７】
液晶ディスプレイ装置に、前記ＦＭトランスミッターの発信周波数を表示するよう構成したことを特徴とする、請求項２に記載の携帯電話機の制御装置。
【発明の詳細な説明】
【技術分野】
【０００１】
本発明は、携帯電話機の制御装置に関し、特に、携帯電話機で受信したり記憶したりしている音楽をＦＭトランスミッターを介して自分の自動車のアンテナへ送信し、ＦＭラジオ付のカーステレオを用いてそれらの音楽を聴くことができると共に、途中で電話が掛かって来た場合には、ハンズフリーで会話ができ、更には、携帯電話機の充電も同時に可能な携帯電話機の制御装置に関するものである。
【背景技術】
【０００２】
近年、携帯電話機の進歩は目覚ましく、内蔵されたメモリの容量も大幅に増大しているため、付属のカメラで撮った写真データのほか、通信機能を利用してダウンロードした音楽データも大量に保存できるようになり、そのため、携帯電話機にイヤホンをつないで音楽を楽しむ人々が急速に増加している。
しかしながら、自動車の運転中にイヤホンを使用することは危険であり、また、イヤホンでは音質や迫力に限界があるため、カーステレオのスピーカを利用して携帯電話機の音楽を十分に楽しみたいという要望が多かった。
【０００３】
このような要望に応えるため、下記特許文献１には、携帯電話機で再生される音楽をＦＭ変換して発信し、外部スピーカで再生するようにしたシステムが開示されている。
しかしながら、特許文献１に記載のシステムを用い、車内のカーステレオで携帯電話機からの音楽を再生しているときに電話が掛かって来たときには、その携帯電話機を手にとって通話をする必要があり、そのためには車を停める必要があって不便であった。
また、下記特許文献２には、自動車のカセット装置やカーステレオシステムを利用して、携帯電話をハンズフリーで使用できるようにした携帯電話アクセサーが開示されている。
しかしながら、この装置では、音楽を聴くことを想定していないため、近年の大量の音楽データの記憶、再生機能を備えた高度の携帯電話機の性能を充分に生かしきれないという問題があった。
更にまた、下記特許文献３には、携帯電話機にダウンロードされた音楽を車載のＦＭ受信機により再生できると共に、音楽再生中にもハンズフリーで通話が可能な携帯電話機用制御装置が開示されている。
しかしながら、その装置には作動状態等を示す表示画面が設けられていなかったり、携帯電話機への接続端子を携帯電話機のイヤホンジャックへつなぐものと、携帯電話機の制御のためのコネクタにつなぐものとの２つに分離されていたり、自動車のバッテリーへの接続端子の具体的形態が開示されていなかったりするため、装置の使い勝手が必ずしも良好ではないという問題点があった。
【先行技術文献】
【特許文献】
【０００４】
【特許文献１】特開２００８−１１８４５５号公報
【特許文献２】特表２００３−５０９８７６号公報
【特許文献３】特開２００７−１２４６２９号公報
【発明の概要】
【発明が解決しようとする課題】
【０００５】
本発明は前記の如き従来装置の問題点を解決するためになされたものであり、その目的とするところは、携帯電話機でダウンロードした音楽データを、車載のカーステレオで聴取可能とすると共に、電話使用時にはハンズフリーで通話ができ、また、携帯電話機の充電も可能であると共に、装置の作動状態を知ることも容易で、使い勝手の良い携帯電話機の制御装置を提供せんとするにある。
【課題を解決するための手段】
【０００６】
上述した目的を達成するために、本発明に係る携帯電話機の制御装置は、
制御装置本体と、この制御装置本体に接続されたところの車内のシガレットライターのソケットへの差込みプラグ部と、前記制御装置本体に接続された携帯電話機へのコネクタと、このコネクタに接続されたマイク部とを備え、
前記制御装置本体には、前記携帯電話機からの音声及び音楽信号をＦＭ波として発信するＦＭトランスミッターと、前記マイク部から出力される音声信号を前記携帯電話機へ転送するマイク信号転送回路と、シガレットライターのソケットから得られる電流を制御装置自体の作動用電流に変換する自己消費用電源回路と、シガレットライターのソケットから得られる電流を携帯電話機の充電用電流に変換する充電用電源回路と、前記制御装置の作動状態を切り換える複数のスイッチとが設けられ、
前記携帯電話機へのコネクタには、携帯電話機と制御装置本体間の制御信号、音声及び音楽信号の伝送ライン並びに携帯電話機の充電用給電ラインが設けられたこと、
を特徴とする。
本発明はまた、制御装置本体と、この制御装置本体に接続されたところの車内のシガレットライターのソケットへの差込みプラグ部と、前記制御装置本体に接続された携帯電話機へのコネクタと、このコネクタに接続されたマイク部とを備え、
前記制御装置本体には、前記携帯電話機からの音声及び音楽信号をＦＭ波として発信するＦＭトランスミッターと、前記マイク部から出力される音声信号を前記携帯電話機へ転送するマイク信号転送回路と、シガレットライターのソケットから得られる電流を制御装置自体の作動用電流に変換する自己消費用電源回路と、シガレットライターのソケットから得られる電流を携帯電話機の充電用電流に変換する充電用電源回路と、前記制御装置の作動状態を表示する液晶ディスプレイ装置と、前記液晶ディスプレイ装置の制御回路と、前記制御装置の作動状態を切り換える複数のスイッチとが設けられ、
前記携帯電話機へのコネクタには、携帯電話機と制御装置本体間の制御信号、音声及び音楽信号の伝送ライン並びに携帯電話機の充電用給電ラインが設けられたこと、を特徴とする。
【０００７】
この場合において、前記制御装置本体と携帯電話機へのコネクタとの間、及び、前記制御装置本体とマイク部との間をケーブルで接続することが推奨される。
また、前記シガレットライターのソケットへの差込みプラグ部については、これを制御装置本体に直接取り付けるようにすることも推奨される。その際、当該差込みプラグ部を制御装置本体の側へ折畳み可能なように取り付けるようにすることも望ましい。
【０００８】
更にまた、前記マイク部には、その作動をオンオフするスイッチを設けることが推奨される。
液晶ディスプレイ装置に、前記ＦＭトランスミッターの発信周波数を表示するように構成することも推奨される。
【発明の効果】
【０００９】
本発明は以上のように構成したので、本発明によるときは、携帯電話機でダウンロードした音楽データを、車載のＦＭラジオ付のカーステレオで聴取可能とすると共に、電話使用時にはハンズフリーで通話ができ、また、携帯電話機の充電も可能であると共に、装置の作動状態を知ることも容易で、使い勝手の良い携帯電話機の制御装置を提供できるという効果を奏し得る。
【図面の簡単な説明】
【００１０】
【図１】本発明に係る携帯電話機の制御装置の一実施例を示す正面図である。
【図２】図１に示した制御装置の制御装置本体部分の平面図（Ａ）、底面図（Ｂ）、背面図（Ｃ）及び左側面図（Ｄ）を併せて示す図である。
【図３】図１に示した装置の制御装置本体の液晶ディスプレイ装置の表示内容の一例を示す説明図である。
【図４】図１に示した制御装置のマイク部分の底面図である。
【図５】本発明に係る制御装置の回路構成の概要を示すブロック図である。
【図６】本発明に係る制御装置の回路構成の主要部を示す回路図である。
【図７】本発明に係る制御装置における携帯電話機への充電を行う電源回路の回路図である。
【図８】本発明に係る制御装置における回路構成のうち液晶ディスプレイ装置の制御回路を中心とする領域の回路図である。
【図９】本発明に係る制御装置の作動内容を示すフローチャートである。
【発明を実施するための形態】
【００１１】
以下、本発明に係る携帯電話機の制御装置の一実施例を図面に基づいて説明する。
【実施例】
【００１２】
図１に示す如く、本発明に係る携帯電話機の制御装置１は、制御装置本体１１と、車内のシガレットライターのソケットへの差込みプラグ部１２と、携帯電話機へのコネクタ１３と、マイク部１４とを備え、制御装置本体１１とコネクタ１３との間はケーブル１５，１７により接続され、また、携帯電話機とマイク部１４との間もジャック１８を介してケーブル１５，１６によって接続されている。尚、マイク部と１４とコネクタ１３との間の接続は、ジャック１８を介さずに直接接続させることも可能である。
また、シガレットライターのソケットへの差込みプラグ部１２は、制御装置本体１１に、ケーブルではなく直接的に取り付けられており、図２の平面図（Ａ）及び底面図（Ｂ）において円弧状の矢印で示すように、両者の連結部において、差込みプラグ部１２を制御装置本体１１の側へ折畳み可能なように構成されている。勿論、差込みプラグ部１２と制御装置本体１１とはケーブルを介して接続されても良い。
しかし、制御装置本体１１と差込みプラグ部１２とをケーブルによらず直接的に連結した場合は、使用中に車の走行中に揺れて邪魔になったり、引っ掛かって破損したりする不都合がなくなるという利点がある。また、差込みプラグ部１２を折畳み可能なように構成した場合には、不使用時にコンパクトに折り畳んで収納等を容易にしたり、シガレットライターのソケットに差し込んだ状態で、制御装置本体１１上の液晶ディスプレイ装置１１６を見やすい方向へ向けることができるようにする利点がある。但し、必ずしも図示した形態に限られず、制御装置本体１１の外形等に応じて差込みプラグ部１２との間に上述したようにケーブルを設けたり、或はその他のさまざまな連結、接続形態を採用し得るものである。
【００１３】
図示した例において、使用のしやすさを考慮して、ケーブル１５及び１６の長さ（図１参照）はいずれもａ＝ｂ＝１０００ｍｍ±３０ｍｍ、ケーブル１７の長さはｃ＝２００ｍｍ±３０ｍｍに設定されている。また、制御装置本体１１の長手方向の長さ（図２参照）はｄ＝５６ｍｍ、横幅はｅ＝２８ｍｍ、厚さはｆ＝１５．６ｍｍであり、差込みプラグ部１２を図１、図２に示す如く広げた状態における制御装置本体１１と差込みプラグ部１２とを合わせた長さはｇ＝９４．６ｍｍである。勿論、これらの長さや形状等はデザイン上の理由その他により設計変更され得るものである。
【００１４】
制御装置本体１１には、図１〜図３に示した範囲において、液晶ディスプレイ装置１１６とスイッチＳ１〜Ｓ４が設けられている。液晶ディスプレイ装置１１６には、例えば、図３に示すように、制御装置本体１１中に設けたＦＭトランスミッターの発信周波数を表示するようにし、車載カーステレオのＦＭ受信機のチューニングを容易にするのに利用するようにしてもよい。或いはまた、図５を参照して後述する携帯電話機２でダウンロードした音楽データと共に関連の映像データを表示するように構成してもよく、液晶ディスプレイ装置１１６の表示内容は任意に設定できる。
【００１５】
マイク部分１４には、図１に示す如く、内部に設けたマイク本体に対応する位置にマイク孔１４１が設けられると共に、マイクの作動のオンオフ操作を行うためのスイッチＳ５が設けられている。また、その裏面には、図４に示すように、使用者の衣服に装着するためのクリップ１４２が取り付けられている。
【００１６】
次に、図５〜図９を参照しつつ、本発明に係る携帯電話機の制御装置本体の回路構成及びその機能について説明する。
図５中、参照番号１は前記本発明に係る制御装置を示しており、当該制御装置１は前記の如く、制御装置本体１１と、差込みプラグ部１２と、携帯電話機へのコネクタ１３と、マイク部１４とを備えている。
図５に示すように、制御装置本体１１には、携帯電話機２からの音声及び音楽信号をＦＭ波として発信するＦＭトランスミッター１１１と、マイク部１４から出力される音声信号を携帯電話機２へ転送するマイク信号転送回路１１２と、車内のシガレットライターのソケット３から得られる電流を制御装置１自体の作動用電流に変換する自己消費用電源回路１１３と、同じくシガレットライターのソケット３から得られる電流を携帯電話機２の充電用電流に変換する充電用電源回路１１４と、制御装置１の作動状態（本実施例においてはＦＭトランスミッター１１１の発信周波数）を表示する液晶ディスプレイ装置１１６と、当該液晶ディスプレイ装置の制御回路１１５とが設けられる。
また、図５では省略したが、制御装置１の作動状態を切り換える複数のスイッチＳ１〜Ｓ５（図１、図２、図６、図８参照）も設けられる。
更にまた、携帯電話機２からコネクタ１３を通じて入力される音楽信号や通話の音声信号がＦＭトランスミッターでの処理を行うために微弱すぎる場合には、プリアンプ１１７を設けて、必要レベルまで増幅するようにしてもよい。
尚、携帯電話機２へのコネクタ１３には、図５に示す如く、携帯電話機２と制御装置本体１間の制御信号の伝送ライン、携帯電話機２からの音楽信号の伝送ライン、通話のための音声信号の伝送ライン、並びに、携帯電話機２への充電を行う給電ラインが設けられている。
【００１７】
図６には、本発明に係る制御装置の回路構成の主要部が示されている。
同図中、自己消費用電源回路１１３（引出し線を付した参照番号。図６〜図８中の参照番号について以下同様。）は、前記の通り、車内のシガレットライターのソケットから得られる電流（直流１２Ｖ）を制御装置１自体の作動用電流に変換する回路である。
携帯電話機へのコネクタ１３には、図示する如く、マイク１４の出力をマイク信号転送回路１１２を介して携帯電話機へ送る伝送ラインのほか、マイク１４に付属の前記スイッチＳ５のオンオフ信号（携帯電話機２と制御装置本体１間の制御信号の一種）の伝送ラインや、携帯電話機２からの音楽信号の伝送ライン、等々が設けられ、更には、図７に示す携帯電話機への充電を行う電源回路１１４からの直流５Ｖの充電用給電ラインも設けられている。
プリアンプ１１７は、携帯電話機からコネクタ１３を通じて入力される左右２チャンネルの音楽信号や、携帯電話機２で通話中の相手の音声信号を増幅してＦＭトランスミッター１１１へ供給する。
ＦＭトランスミッター１１１は、上記音楽信号や音声信号をＦＭ波に変換して発信し、車載のＦＭラジオ付きカーステレオ４（図５参照）のＦＭ受信機４１がこれを受信して前記音楽信号や音声信号に復元し、アンプで増幅した後、スピーカ４３により再生する。尚、カーステレオ４は、単なるＦＭラジオであっても良い。
【００１８】
尚、携帯電話機２から制御装置１へ供給され得る音楽信号としては、電話回線を通じて携帯電話機へダウンロードし記憶してある音楽データだけでなく、電話回線を通じて現在ダウンロードされると同時に再生されつつある音楽データや、パーソナルコンピュータもしくは他の記憶媒体を介して携帯電話機に取り込み記憶した音楽データ、等々に基づく音楽信号が広く含まれるものである。
【００１９】
図７には、携帯電話機への充電を行う電源回路１１４が示されている。
この電源回路１１４は、シガレットライターのソケットから得られる直流１２Ｖをスイッチング方式により変圧し、図示した実施例の場合、直流５Ｖにして出力する。この出力電流が、前記コネクタ１３を通じて携帯電話機２へ供給されることは前記の通りである。
【００２０】
図８には、液晶ディスプレイ装置の制御回路１１５を中心とする領域の回路図が示されている。
この制御回路１１５は、本実施例の場合、ＦＭトランスミッター１１１の発信周波数を液晶ディスプレイ装置１１６に表示するための信号処理を行い、その結果をコネクタ１１５ａを介して液晶ディスプレイ装置１１６に供給する。
【００２１】
次に、図９により、本発明に係る装置の作動を説明する。尚、図９においてのみ、「Ｓ１」〜「Ｓ１３」は「ステップ１」〜「ステップ１３」を意味するものであり、図１等におけるスイッチＳ１〜Ｓ５とは区別すべきものである。
［ステップ１］
ユーザーは、先ず、本発明に係る制御装置１の差込みプラグ部１２を車のシガレットライターのソケットに嵌め込むと共に、携帯電話機へのコネクタ１３を携帯電話機の入出力用ソケットに接続した後、制御装置本体１１に設けたスイッチＳ１を押して、制御装置本体１１１の電源をオンにし、携帯電話機２の電源もオンにする。
また、マイク部１４のクリップ１４２を利用してマイク部１４を衣服の襟もしくは胸元に取り付ける。
［ステップ２］
次いで、携帯電話機２の音楽再生メニューを選び、これまでダウンロード等して記憶してある曲目の中から所望の曲を選んで音楽再生モードをオンにすると、その音楽信号が携帯電話機の入出力用ソケットへ出力される。
［ステップ３］
携帯電話機２から出力された音楽信号はコネクタ１３を通じて制御装置本体１１に入力され、プリアンプ１１７で増幅された後、ＦＭトランスミッター１１１によりＦＭ波に変換され、送信が開始される。このとき、ユーザーは制御装置本体１１のスイッチＳ３を押してＦＭ波の発信周波数を上げたり、スイッチＳ４を押して発信周波数を下げたりして調整することができる。
［ステップ４］
また、ＦＭトランスミッター１１１の発信周波数は、制御装置本体１１の液晶ディスプレイ装置１１６に表示させることができ、その場合にはユーザーはそれを見ながら発信周波数の調整を行うことができる。
［ステップ５］
次いで、ユーザーは、車載カーステレオ４のＦＭ受信機４１の受信周波数をＦＭトランスミッター１１１の発信周波数に合わせ、送信されてくる音楽信号が車載カーステレオ４で再生できるように調整する。
［ステップ６］
以上の操作により、ユーザーは携帯電話機にダウンロードされた所望の曲を、車載カーステレオ４のスピーカ４３で再生し、聴取することができる。
【００２２】
［ステップ７］
車載カーステレオ４により携帯電話機２からの音楽の再生中に、携帯電話機２に外部から電話が掛かってくると、その着信音が携帯電話機２自体から発せられ、若しくは、携帯電話機の機種によっては再生中の音楽信号を一時停止若しくは再生音量を弱くして、着信音を混入して出力し、これが車載カーステレオのスピーカから再生される。
［ステップ８］
そのとき、ユーザーは、携帯電話機２の作動を音楽再生モードから通話モードに切り換えるため、マイク部１４に取り付けられているスイッチＳ５を押す。
［ステップ９］
ユーザーによりマイク部１４のスイッチＳ５が押されると、その信号は携帯電話機への前記コネクタ１３（図６参照）を通じて携帯電話機２へもたらされ、携帯電話機の作動モードが通話モードに切り換えられると共に、マイクから出力される音声信号が携帯電話機２へ送信されるようになる。
［ステップ１０］
携帯電話機の作動モードが通話モードに切り換えられたことにより、ユーザーは電話の相手方との通話が可能になる。
このとき、通話中の相手方の音声信号は、携帯電話機２から前記コネクタ１３を通じて制御装置本体１１にもたらされ、音楽信号と同様にプリアンプ１１７からＦＭトランスミッター１１１を経てＦＭ波として発信され、車載のカーステレオ４のスピーカ４３によって再生される。
また、通話中のユーザーの音声は、マイク部１４の出力信号がマイク信号転送回路１１２からコネクタ１３を経て携帯電話機２へ入力され、携帯電話機の通話機能により相手方へ送信される。
これにより、ユーザーはスピーカ４３によって再生される相手方の声を聞きながら、自分の衣服の胸元等に取り付けたマイク部１４により自分の声を採取させ、ハンズフリーでの通話が可能となる。
［ステップ１１］
通話終了時には、ユーザーはマイク部１４のスイッチＳ５を押す。
［ステップ１２］
ユーザーによりマイク部１４のスイッチＳ５が押されると、その信号は前記と同様にして携帯電話機２へもたらされ、携帯電話機は電話回線との接続を切る。
［ステップ１３］
携帯電話機２が、電話回線との接続遮断後にその作動モードを自動的に音楽再生モードに復帰させる機能を有するものであるときは、音楽再生モードに自動復帰（ステップ３）する。そのような機能を持たない携帯電話機の場合は、ユーザーが音楽再生モードの設定操作（ステップ２と同様の操作）を再度行う。
［ステップ１４］
本発明に係る制御装置１の使用を中止するときは、スイッチＳ２を押して電源をオフにし、携帯電話機２への充電を継続する場合を除き、差込みプラグ部１２や携帯電話機へのコネクタ１３を引き抜くようにする。
【００２３】
尚、本発明の制御装置の差込みプラグ部１２を車のシガレットライターのソケットに差し込み、コネクタ１３を携帯電話機２に接続している期間中は、音楽再生モードや通話モードとは関係なく、携帯電話機２は前記充電用電源回路１１４からの出力電流により継続的に充電される。
【００２４】
尚、本発明は前記実施例に限定されるものではなく、例えば、制御装置本体１１の形状、差込みプラグ部１２との連結構造、マイク部１４の形態、液晶ディスプレイ装置１１６の表示内容、等々はさまざまに設計変更され得るものであり、従って、本発明は特許請求の範囲に記載の技術的範囲内において、上記の説明から当業者が容易に想到し得るすべての変更実施例を包摂するものである。
【産業上の利用可能性】
【００２５】
本発明は以上のように構成したので、携帯電話機で受けたり記憶したりしている音楽を自分の自動車のカーステレオのスピーカを用いて聴くことができると共に、途中で電話が掛かって来た場合には、ハンズフリーで会話ができ、更には、携帯電話機の充電も同時に可能で、使い勝手のよい携帯電話機の制御装置を提供し得るものであるから、産業上多大の利用可能性を有するものである。
【符号の説明】
【００２６】
１        携帯電話機の制御装置
２        携帯電話機
３        車内のシガレットライターのソケット
４        車載のカーステレオ
１１      制御装置本体
１２      差込みプラグ部
１３      携帯電話機へのコネクタ
１４      マイク部
１５，１６，１７  ケーブル
４１      ＦＭ受信機
４２      アンプ
４３      スピーカ
１１１    ＦＭトランスミッター
１１２    マイク信号転送回路
１１３    自己消費用電源回路
１１４    充電用電源回路
１１５    液晶ディスプレイ装置の制御回路
１１６    液晶ディスプレイ装置
１１７    プリアンプ
１４１    マイク孔
１４２    クリップ
Ｓ１〜Ｓ５  スイッチ
【図１】
2012044580.tif 000003
【図２】
2012044580.tif 000004
【図３】
2012044580.tif 000005
【図４】
2012044580.tif 000006
【図５】
2012044580.tif 000007
【図６】
2012044580.tif 000008
【図７】
2012044580.tif 000009
【図８】
2012044580.tif 000010
【図９】
2012044580.tif 000011